(57)【要約】【課題】  ２４時間換気システムによる全般換気への影響を軽減することのできる局所排気装置を提供すること。【解決手段】  ２４時間換気システムと併用して用いられる局所排気装置５であって、調理により発生する油煙、水蒸気等を排気する排気手段６と、排気手段の近辺に配置され、室外空気を供給する給気手段７と、排気手段の排気量に応じて給気手段の給気量を調節する給気量調節手段とを備える。【選択図】図１
2006145138.tif 000002
【特許請求の範囲】
【請求項１】
２４時間換気システムと併用して用いられる局所排気装置であって、調理により発生する油煙、水蒸気等を排気する排気手段と、排気手段の近辺に配置され、室外空気を供給する給気手段と、排気手段の排気量に応じて給気手段の給気量を調節する給気量調節手段とを備えていることを特徴とする局所排気装置。
【請求項２】
請求項１記載の局所排気装置において、給気量調節手段は、給気手段に設けられた給気口の開口面積を調節し、給気量を調節することを特徴とする局所排気装置。
【発明の詳細な説明】
【技術分野】
【０００１】
本願発明は、調理時に発生する油煙、水蒸気等を排気する局所排気装置に関するものである。
【背景技術】
【０００２】
省エネルギー住宅の実現のために、高気密化、高断熱化が図られている。一方、住宅の高気密化が進むにつれ、室内の空気の汚れにどのように対処するか問題となっている。また、近年、ホルムアルデヒドやＶＯＣ（揮発性有機化合物）が社会的に問題とされ、換気の重要性が指摘されている。このような要請から、常時連続して室内を換気することのできる２４時間換気システムが提供されている。室内に空気の流れを常時形成し、計画的に全般換気を行うものである。
【０００３】
ところで、キッチンやダイニングキッチンのような調理を行う部屋では、調理時に発生する油煙、水蒸気等を排気するために、レンジフード等の局所排気装置が調理機器の上方に設けられている。この局所排気装置には、油煙、水蒸気の拡散を抑え、確実に排気することができるように、調理機器の上方に空気流を形成させる給気手段を備えたものが知られている（たとえば、特許文献１参照）。
【０００４】
上記特許文献１に記載されたレンジフードでは、左右に２つ設けられた給気吐出口が電動シャッターにより開閉自在とされており、いずれか一方の給気吐出口を開き、給気流の送風を可能としている。
【特許文献１】特開２００３−４２７６号公報
【発明の開示】
【発明が解決しようとする課題】
【０００５】
しかしながら、上記特許文献１に記載されたレンジフードを２４時間換気システムと併用する場合、レンジフードを運転させると、給気吐出口の開閉は制御されるが、開口面積は一定であるため、排気量が変化すると、給排気のバランスが崩れ、その結果、２４時間換気システムによる全般換気に影響が出る。全般換気の空気の流れがレンジフード側に引き寄せられ、全般換気では想定していない空気の流れが起こり、計画換気の精度が落ちるのである。
【０００６】
本願発明は、このような事情に鑑みてなされたものであり、２４時間換気システムによる全般換気への影響を軽減することのできる局所排気装置を提供することを解決すべき課題としている。
【課題を解決するための手段】
【０００７】
本願発明は、上記の課題を解決するために、第１には、２４時間換気システムと併用して用いられる局所排気装置であって、調理により発生する油煙、水蒸気等を排気する排気手段と、排気手段の近辺に配置され、室外空気を供給する給気手段と、排気手段の排気量に応じて給気手段の給気量を調節する給気量調節手段とを備えていることを特徴としている。
【０００８】
本願発明は、第２には、第１の特徴に加え、給気量調節手段は、給気手段に設けられた給気口の開口面積を調節し、給気量を調節することを特徴としている。
【発明の効果】
【０００９】
本願発明の第１および第２の特徴を有する局所排気装置によれば、排気手段による排気量に応じて給気手段の給気量を変更することができ、２４時間換気システムによる全般換気への影響を軽減して、調理時に発生する油煙、水蒸気等を局所的に排気することができる。
【発明を実施するための最良の形態】
【００１０】
図１は、本願発明の局所排気装置の一実施形態を２４時間換気システムとともに示した概略図である。
【００１１】
部屋１には、２４時間換気システムを実現するために、給気部２と排気部３が設けられている。給気部２は、ドアのアンダーカット、ガラリ、給気口等とすることができ、排気部３は、部屋１の天井４に設けられる。部屋１には、全般換気として、給気部２から排気部３へ向かう空気の流れが形成される。
【００１２】
この部屋１には、２４時間換気システムと併用してレンジフード等の局所排気装置５が設けられている。局所排気装置５は、調理により発生する油煙、水蒸気等を排気する排気手段６と、室外空気を供給する給気手段７を備えている。排気手段６は、図示していない調理機器の上方に配置され、給気手段７は、排気手段６の近辺に配置され、排気手段６と別体とされている。
【００１３】
図１に示した局所排気装置５では、排気手段６は、発生する油煙、水蒸気量等に応じて排気風量が変化するようにしている。給気手段７は、排気手段６が排気する際に、油煙、水蒸気等が部屋１に拡散しないような空気流が形成されるように、給気する。
【００１４】
そして、図１に示した局所排気装置５では、排気手段６の排気量に応じて給気手段７の給気量を調節する給気量調節手段を備えている。後述するように、給気量調節手段は、排気手段６の排気風量に応じた最適な給気を行えるようにするものである。このため、図１に示した局所排気装置５は、２４時間換気システムと併用しても、局所排気が全般換気の経路を邪魔せず、全般換気への影響を低減させることができる。計画換気の精度をほぼ一定に保つことができる。
【００１５】
図２は、本願発明の局所排気装置の別の実施形態を２４時間換気システムとともに示した概略図である。
【００１６】
図２に示した局所排気装置５では、給気手段７のみが異なり、他は図１に示した局所排気装置５および２４時間換気システムと同様としている。
【００１７】
図２に示した局所排気装置５では、給気手段７が排気手段６の近辺に配置されているが、給気手段７は排気手段６と一体化され、排気手段６の上部に組み込まれている。このような給気手段７についても、図１に示した給気手段７と同様に、給気量調節手段により、排気手段６の排気量に応じて給気量の調節が可能となっている。したがって、図２に示した局所排気装置５も、２４時間換気システムと併用する場合に、局所排気が全般換気の経路を邪魔せず、全般換気への影響を低減させることができる。計画換気の精度をほぼ一定に保つことができる。
【００１８】
以上の局所排気装置５における給気量調節手段は、たとえば、給気手段７に設けられる給気口の開口面積を調節し、給気量を調節するものとすることができる。具体的には、図３および図４に示したように、給気口８をシャッター９により開閉可能とし、開口面積を可変として、給気量を調節するものが例示される。
【００１９】
図３に示した給気口８では、室外側に２枚のシャッター９が配設され、シャッター９は、給気口８の略中央部において回動自在となるように軸支されている。シャッター９が水平位置に配置されるとき、給気口８は閉まり、給気が行われない。シャッター９が９０°回動すると、給気口８は全開し、開口面積が最大となり、最大の風量での給気が行われる。シャッター９は、９０°の範囲で回動することができ、給気口８の開口面積を変えることができる。
【００２０】
シャッター９の回動は、図１および図２に示した排気手段６の動作に連動し、また、排気量に応じて行われる。すなわち、排気手段６から排気量に関するデータ信号が制御回路１０に送信されるようになっており、制御回路１０は、受信したデータ信号に基づいて排気手段６の排気量の大小を判断し、排気手段６の排気量に見合った給気量が得られるように、シャッター９の回動角に関するデータ信号を開閉器１１に送信する。開閉器１１は、このデータ信号に基づいてシャッター９を回動させる。排気手段６が運転されない場合には、シャッター９は水平に配置され、給気口８は閉じられる。
【００２１】
このように、給気量調節手段は、排気手段６の排気風量に応じた最適な給気を可能にする。
【００２２】
なお、図３図中に示した符号１２は、シャッター角度微調整ツマミであり、排気手段６の少風量運転時にシャッター９の回動角度を微調整するものである。給気手段７による給気の微調整を可能にする。
【００２３】
図４に示した給気口８では、一枚のシャッター９が、給気口８の略中央部に回動自在に軸支されている。シャッター９の回動の中心は、給気口８の略中央部に位置する。
【００２４】
図４に示した給気口８の場合にも、シャッター９が水平に配置されるとき、給気口８は閉じられ、９０°回動したときに全開となる。シャッター９の回動は、図３に示した給気口８と同様に、図１および図２に示した排気手段６の動作に連動し、また、排気量に応じて行われる。排気手段６の運転に基づくデータ信号により制御回路１０がシャッター９の回動を制御する。
【００２５】
すなわち、制御回路１０は、受信したデータ信号に基づいて排気手段６の排気量の大小を判断し、排気手段６の排気量に見合った給気量が得られるように、シャッター９の回動角に関するデータ信号を開閉器１１に送信する。開閉器１１は、このデータ信号に基づいてシャッター９を回動させる。排気手段６が運転されない場合には、シャッター９は水平に配置され、給気口８は閉じられる。
【００２６】
このような図４に示した給気口８にもシャッター角度微調整ツマミ１２を設けることができ、図１および図２に示した給気手段７による給気の微調整を行うことができる。
【図面の簡単な説明】
【００２７】
【図１】本願発明の局所排気装置の一実施形態を２４時間換気システムとともに示した概略図である。
【図２】本願発明の局所排気装置の別の実施形態を２４時間換気システムとともに示した概略図である。
【図３】給気口の一形態を示した断面図である。
【図４】給気口の別の形態を示した断面図である。
【符号の説明】
【００２８】
１    部屋
２    給気部
３    排気部
４    天井
５    局所排気装置
６    排気手段
７    給気手段
８    給気口
９    シャッター
１０    制御回路
１１    開閉器
１２    シャッター角度微調整ツマミ
【図１】
2006145138.tif 000003
【図２】
2006145138.tif 000004
【図３】
2006145138.tif 000005
【図４】
2006145138.tif 000006